(57)【特許請求の範囲】
【請求項１】
商品陳列用台板部の前端部に固定される表示具であって、商品陳列用台板部の前端部に着脱自在に固定される固定用立板部と、この固定用立板部の上端部から手前側に向かって下向き傾斜状に延設される表示板部とを備え、上記表示板部の、商品陳列用台板部に対する傾斜角度が２０〜７０°の範囲内に設定され、それ自体の表裏両面に、商品に関する情報が表示可能な蓋部の下端部が、上記表示板部の下端部に前後方向に回動自在に連結され、上記蓋部が後方に後傾して上記表示板部に支受される閉蓋状態と、この閉蓋状態から上記蓋部が陳列商品のない前方側に回動される開蓋状態とが、切り換え作業を行わない限りその状態が維持されるようになっており、上記閉蓋状態では、上記表示板部の表面に表示される商品の情報が上記蓋部で隠されているとともに、この蓋部の表面に表示される商品の情報が外部に露呈され、上記開蓋状態では、上記蓋部の裏面に表示される商品の情報と上記表示板部の表面の商品の情報との双方が外部に露呈されていることを特徴とする表示具。
【請求項２】
上記蓋部の上下方向幅が、上記表示板部の上下方向幅より小さくなっている請求項１記載の表示具。
【請求項３】
上記商品陳列用台板部の近傍部分に、上記開蓋状態にある蓋部が略水平姿勢で載置可能である請求項１または２記載の表示具。
【請求項４】
上記表示板部が透明に形成されているとともに、その裏面に、複数の凸条が所定間隔で形成されている請求項１〜３のいずれか一項に記載の表示具。
【発明の詳細な説明】
【技術分野】
【０００１】
本発明は、化粧品，食品，薬品等の各種の商品を陳列する陳列トレイ，陳列棚等に設けられる表示具に関するものである。
【背景技術】
【０００２】
従来から、化粧品販売店等では、店員に相談することなく、顧客自身が店頭等で化粧品を自由に選択することができるよう、化粧品を日用雑貨のように大量に陳列した化粧品陳列台を置くようにした店が増えてきている。このような、化粧品を大量に陳列しうる化粧品陳列台として、図１６に示すような化粧品陳列棚が提案されている。この化粧品陳列棚は、台部５１と、この台部５１に立設される陳列用パネル５２とからなっており、この陳列用パネル５２の前面に上下多段に並設された支受棚５３に、図１７に示すような化粧品陳列用トレイ５４等が支受されている。
【０００３】
上記化粧品陳列用トレイ５４は、例えば、本体トレイ５５と、この本体トレイ５５の前端部のガイドプレート５６に左右にスライド自在に支受されるテスターホルダー５７とからなっている。このテスターホルダー５７は、その取付部５７ａの取付溝部５７ｂをガイドプレート５６に遊嵌させるとともに、取付部５７ａの下端のスライド板５７ｃを本体トレイ５５の下端に設けられた支持板部５５ａに当接させ、スライド自在になっている。そして、上記本体トレイ５５に、基礎化粧料，メイクアップ化粧料等の各種の化粧品５８（図１６参照）が陳列されている。また、上記テスターホルダー５７は、上記化粧品５８のテスター用化粧品５９（図１６参照）を収容するテスター収容部６０と、このテスター収容部６０の前壁上端部から傾斜状に延びるバーコード表示プレート６１と、このバーコード表示プレート６１の上端部に、回転軸６１ａにより回動自在に連結されるプライス表示プレート６２等とからなっている。
【０００４】
このようなテスターホルダー５７では、常時は、プライス表示プレート６２でバーコード表示プレート６１の上面６１ｂを蓋し、プライス表示プレート６２の上面６２ａに表示されたＰＯＰ広告等が顧客に見えるようにしている。また、棚卸し等の際には、商品の売り上げ情報を収集，蓄積等するため、店員等がプライス表示プレート６２を上方に回動させて開蓋状態にし、バーコード表示プレート６１の上面６１ｂに表示されたバーコード（図示せず）を外部に露呈させてバーコードリーダー等（図示せず）で読み取れるようにしている（例えば、特許文献１参照）。
【特許文献１】特開２００１−２９９５２３号公報
【発明の開示】
【発明が解決しようとする課題】
【０００５】
しかしながら、上記の化粧品陳列棚では、プライス表示プレート６２の上面６２ａにだけＰＯＰ広告等の情報が表示されているため、情報表示用スペースが少なく、多くの情報を表示することができない。しかも、使用時には、プライス表示プレート６２を上方に回動させるため、両プレート６１，６２の上方に広い空間が必要となるうえ、回動させたプライス表示プレート６２により、その後方に配設された化粧品５８やテスター用化粧品５９等が見えにくくなる。さらに、使用後プライス表示プレート６２を閉蓋する際に、この閉蓋操作をする人には、プライス表示プレート６２に隠れて、プライス表示プレート６２の下面がバーコード表示プレート６１の上面６１ｂに当接する瞬間がよく見えず、閉蓋操作を素早く行えない分閉蓋操作がしづらいうえ、閉蓋操作を強い力で行うとプライス表示プレート６２がバーコード表示プレート６１の上面６１ｂに大きな力で当たって両プレート６１，６２が損傷等するおそれがある。そのうえ、閉蓋状態にあるプライス表示プレート６２は下を向いているため、開蓋操作の際に、この操作をする人には、プライス表示プレート６２の開蓋角度がわかりにくく、ていねいに開蓋操作をしなければならない分、開蓋操作がしづらいうえ、プライス表示プレート６２を不必要に上方に大きく回動させてしまい、周りの他物に当てる等のおそれがある。さらに、使用時に、上方に回動させたプライス表示プレート６２を水平姿勢等、所望の姿勢に保持することができず、プライス表示プレート６２の上面６２ａの情報が見にくい。
【０００６】
本発明は、このような事情に鑑みなされたもので、情報表示のためのスペースが大きくなり、しかも、上部に広い空間を必要とせず、後方の化粧品等が見やすく、さらに、開閉操作が容易で、そのうえ、閉蓋時に損傷等したり、開蓋時に不必要に大きく回動させたりするおそれがなく、平置き可能な表示具の提供をその目的とする。
【課題を解決するための手段】
【０００７】
上記の目的を達成するため、本発明の表示具は、商品陳列用台板部の前端部に固定される表示具であって、商品陳列用台板部の前端部に着脱自在に固定される固定用立板部と、この固定用立板部の上端部から手前側に向かって下向き傾斜状に延設される表示板部とを備え、上記表示板部の、商品陳列用台板部に対する傾斜角度が２０〜７０°の範囲内に設定され、それ自体の表裏両面に、商品に関する情報が表示可能な蓋部の下端部が、上記表示板部の下端部に前後方向に回動自在に連結され、上記蓋部が後方に後傾して上記表示板部に支受される閉蓋状態と、この閉蓋状態から上記蓋部が陳列商品のない前方側に回動される開蓋状態とが、切り換え作業を行わない限りその状態が維持されるようになっており、上記閉蓋状態では、上記表示板部の表面に表示される商品の情報が上記蓋部で隠されているとともに、この蓋部の表面に表示される商品の情報が外部に露呈され、上記開蓋状態では、上記蓋部の裏面に表示される商品の情報と上記表示板部の表面の商品の情報との双方が外部に露呈されているという構成をとる。
【発明の効果】
【０００８】
すなわち、本発明の表示具では、表示板部の、商品陳列用台板部に対する傾斜角度が２０〜７０°の範囲内に設定され、商品情報を表示する蓋部が、その下端部で、上記表示板部の下端部に回動自在に連結されているため、その蓋部が閉蓋状態であるときに、蓋部の表面に表示される商品の情報を顧客等が見ることができるだけでなく、蓋部を手前に開いて開蓋状態とすることで、蓋部の裏面に表示される商品の情報と表示板部の表面に表示される商品の情報との双方を見ることができるようになり、商品の情報表示スペースが多くなり（従来例と比べ、略３倍になり）、多くの商品の情報を表示することができる。しかも、この表示具は、上記開蓋状態が、意図的に切り換え作業を行わない限り、蓋部の自重でその状態が維持されるようになっており、上記商品情報表示の多い状態を継続することができる。
また、使用時には、上記蓋部を下方に回動させて開くようになっているため、この蓋部の上方に広い空間が必要とならないうえ、回動後にも、商品陳列用台板部に陳列された商品がよく見える。さらに、上記蓋部を後方に後傾させて表示板部に支受させることで閉蓋状態を保持しているため、上記蓋部を表示板部に回動不能に保持するためのロック手段を設ける必要がなく、蓋部の開閉が容易になり、簡単に開蓋状態と閉蓋状態とに切り換えることができる。そのうえ、閉蓋状態にある蓋部は上を向いているため、開蓋操作の際に、開蓋操作をする人には、上記蓋部の開蓋角度がよくわかり、開蓋操作がしやすいうえ、上記蓋部を不必要に上方に大きく回動させて周りの他物に当てる等のおそれがなくなる。
さらに、上記蓋部の下端部が表示板部の下端部に前後方向に回動自在に連結されているため、開蓋操作の際に、この操作をする人には、上記蓋部が表示板部の上面に当接する瞬間がよく見え、閉蓋操作のための力を微調節しながら閉蓋操作を素早く行うことができ、閉蓋操作がしやすいうえ、上記蓋部を表示板部の上面に大きな力で当てて蓋部や表示板部を損傷等するおそれがなくなる。そのうえ、開蓋時には、蓋部を前方に回動させるため、商品陳列用台板部の近傍部分等に平置きが可能であり、この平置き状態では、蓋部の裏面に表示される商品の情報が見やすい。
そして、上記表示具のなかでも、上記蓋部の上下方向幅が、上記表示板部の上下方向幅より小さくなっているものは、上記表示板部の一部（上端部）が上記蓋部の上から突出して見えるため、この蓋部の裏側に、蓋部で隠れて見えない商品情報等があることを、容易に連想することができる。
【０００９】
なお、本発明において、「商品陳列用台板部」とは、商品を載置，陳列するための陳列トレイの載置板部分だけでなく、この陳列トレイや、商品を陳列するための陳列棚の棚板部分をも含む意味である。また、「商品の情報」とは、商品名，販売価格，宣伝文句，キャッチフレーズ等の各種の商品に関する情報を指す。また、「それ自体の表裏両面に、商品に関する情報が表示可能な蓋部」とは、それ自体の表裏両面に、商品の情報が印刷等により直接表示された蓋部だけでなく、透明もしくは半透明に形成され、使用前に、蓋部の表面もしくは裏面に、それ自体の表裏両面に、商品の情報が表示された広告用シートを固定等することにより、蓋部の表裏両面に商品の情報が表示されるようにした蓋部等を含む意味である。また、「表示板部の表面に表示される商品の情報」とは、表示板部の表面に直接印刷等により表示された商品の情報だけでなく、使用前には、商品の情報が表示板部の表面に表示されていなくても、透明な表示板部の表面に上記の広告用シートを固定等することにより、使用時には表示板部の表面に表示されるようになった商品の情報をも含む意味である。なお、「蓋部の表面に表示される商品の情報」および「蓋部の裏面に表示される商品の情報」も同様である。
【００１０】
また、本発明において、上記表示板部の、商品陳列用台板部に対する傾斜角度が２０〜７０°の範囲内に設定されている場合には、顧客等の手指等が蓋部や表示板部に誤って触れても、蓋部が前方に回動して開蓋状態になることがないうえ、商品陳列用台板部に陳列される商品を上から見る顧客等にとって、蓋部や表示板部に表示される商品の情報が見やすい。しかも、開蓋状態の蓋部を閉蓋状態に戻す際に、蓋部をスムーズに回動させて安定して表示板部上に収めることができる。
【００１１】
また、本発明において、上記商品陳列用台板部の近傍部分に、上記開蓋状態にある蓋部が略水平姿勢で載置可能である場合には、上記商品陳列用台板部の近傍部分に蓋部が略水平姿勢で載置されており、この蓋部の裏面に表示される商品の情報が見やすい。
【００１２】
また、本発明において、上記表示板部が透明に形成されているとともに、その裏面に、複数の凸条が所定間隔で形成されている場合には、その複数の凸条により、顧客等の手指の指紋等の汚れが表示板部の裏面に付着しにくく、きれいな状態を長期間保持することができる。
【発明を実施するための最良の形態】
【００１３】
つぎに、本発明を実施するための最良の形態について説明する。ただし、本発明は、この実施の形態に限られるものではない。
【００１４】
図１〜図４は本発明の表示具の一実施の形態を示している。この実施の形態では、上記表示具１は、従来公知の陳列棚５（図４参照）の棚板５ａ上に載置される陳列トレイ６の前端部の溝３５に、その支受板部（固定用立板部）２を着脱自在に嵌合し、陳列トレイ６に取付け固定される。より詳しく述べると、上記表示具１は、前記支受板部２と、その支受板部２の上端部から前側に向かって下り傾斜状に一体的に延設される表示板部３とを備えており、全体が透明もしくは半透明の合成樹脂からなっている。この表示板部３の下端には、ヒンジ連結部１７が設けられ、それによって、蓋部となる表示カバー４が表示板部３に対して前後（図示の左右方向）に回動自在になっている。図４では、表示カバー４が後方向に回転した状態を示している。この表示カバー４も透明もしくは半透明の合成樹脂からなっている。この表示カバー４には、表示カバー４を前方に回動させるときのつまみ４ａが形成されている。
【００１５】
上記支受板部２について詳述すると、表示カバー４を外した状態の図５に示すように、支受板部２の下部は、上記陳列トレイ６の溝３５に着脱自在に挿入される垂直部２ａに形成されている。また、この垂直部２ａの上端からさらに上方に向かう傾斜部２ｂが前方（図示の左方）に向かってやや傾斜状に延設されているとともに、この傾斜部２ｂと垂直部２ａの境界部背面に一条の突条２ｃが略水平に突設されている。この突条２ｃは、上記陳列トレイ６の溝３５に垂直部２ａを挿入した状態で、上記陳列トレイ６の化粧品載置板（商品陳列用台板部）３１の前端部に立設された両前側板３４の上面に位置決めされ（図４参照）支受板部２の安定を保つようになっている。
【００１６】
上記表示板部３について詳述すると、表示板部３は、広告シート１５等（図示せず）を取り付けるものであって、横長板状をしており、先に述べたように、支受板部２の上端部から前側に向かって下り傾斜状に延設されている。この実施の形態では、上記表示板部３の、上記陳列トレイ６の化粧品載置板３１に対する傾斜角度θ（図４参照）は４５°程度に設定されている。この表示板部３は、図１に示すように、略長方形状平板体からなる傾斜板部１１と、この傾斜板部１１の左右両側縁および後側縁から立設されるコ字状の枠板部１２とを備えており、広告シート１５等の取付け状態を保持できるようになっている。この枠板部１２は、上記傾斜板部１１の左右両側縁から立設される左右両側枠板部分１３と、上記傾斜板部１１の後側縁から立設される後側枠板部分１４とからなっている。
【００１７】
また、上記表示板部３には、広告シート１５等の四隅を、表示板部３の表面との間に挟んで保持する押え板１６が四隅に設けられている（図１および図１０参照）。
【００１８】
上記横長板状の表示板部３の裏面には、その幅方向に延びる凸条１１ａが長手方向に所定間隔で多数形成され、人の手指の指紋等が付着し、正面から見たとき（図５の矢符Ａ方向から見たとき）それが表示板部３を透過して見えないようになっている。図６は、表示板部３を、図５の矢符Ａ方向から見たときに透けて見える凸条１１ａを示している。
【００１９】
上記表示板部３に対して蓋として作用する表示カバー４（図１参照）について詳述すると、この表示カバー４は、横長板状をしており、幅方向の断面図である図７に示すように、断面がアーチ状に湾曲していて、その裏面には、周囲を囲う枠板部２１が形成されている。この表示カバー４は、その表面および裏面に広告シート等を取着するものであり、特に裏面の四隅には、その広告シート２２等の四隅を、表示カバー４の裏面との間に挟んで着脱自在に保持する押え板２３（図７参照）が設けられている。この表示カバー４は、切欠き溝により図１の左右方向に弾性を有するように形成されたピン連結部２４の係合突部２４ａを、ピン連結部２４の弾性を利用して図８の矢印で示すように、上記表示板部３のヒンジ連結部１７の係合丸孔１７ａに嵌合させることにより表示板部３に対して前後方向（図８の左右方向）に回動自在になっている。
【００２０】
つぎに、上記表示具１の動作について説明する。この表示具１は、その支受板部２を、図９に示すように、上記陳列トレイ６の前端部に形成された溝３５に着脱自在に嵌合して陳列トレイ６に取付け固定される。この陳列トレイ６は、化粧品（図示せず）が載置，陳列される平板状の化粧品載置板３１と、その左右両側縁および後側縁に立設される左右両側板３２および後側板３３と、上記化粧品載置板３１の前端部に立設される前側板３４とからなっており、この前側板３４に溝３５が形成されている。この陳列トレイ６に取付け固定された状態において、上記表示具は、図１に示すように、表示カバー４を後方に傾倒させて表示板部３に支受させる閉蓋状態と、その閉蓋状態から表示カバー４を前側に回動させて、図１０に示すように、下向き姿勢にする開蓋状態とに切り換え可能になっている。この開蓋状態では、上記表示カバー４の当たり止め部４ｂ（図１１参照）が表示板部３の前端部に当接しており、これにより、上記表示カバー４の後方へのさらなる回動が阻止されている。
【００２１】
より詳しく述べると、表示カバー４が後方に傾倒した閉蓋状態（図１参照）では、表示カバー４の表面４ｃに表示されたＰＯＰ広告を顧客等は見ることができる。また、表示カバー４の上下方向幅が表示板部３の上下方向幅より短いため、表示板部３の表面３ａに表示されたＰＯＰ広告の一部（上端部）が見え、表示カバー４の下側に、この表示カバー４で隠れて見えないＰＯＰ広告があることを連想することができる。その閉蓋状態から、図１０および図１１に示すように、表示カバー４を前側に回動させて開蓋状態にすると、表示カバー４の裏面４ｄに表示されたＰＯＰ広告および、表示板部３の表面３ａに表示されたＰＯＰ広告の全部を顧客等は見ることができる。
【００２２】
このように、この実施の形態では、閉蓋状態で、表示カバー４の表面４ｃに表示されたＰＯＰ広告を顧客等が見ることができるだけでなく、閉蓋状態から開蓋状態とすることにより、表示カバー４の裏面４ｄに表示されたＰＯＰ広告等を見ることができるとともに、表示板部３の表面３ａに表示されたＰＯＰ広告等を見ることができる。すなわち、ＰＯＰ広告等の表示スペースが一挙に多くなる。しかも、閉蓋状態では、表示カバー４を後方に後傾させて表示板部３に支受させているだけであるため、顧客等にとって表示カバー４の開閉が容易であり、簡単に開蓋状態と閉蓋状態とに切り換えて自由にＰＯＰ広告等を見ることができる。さらに、表示カバー４と表示板部３とがその下端部同士で前後方向に回動自在に連結されており、表示カバー４が、下向きに所定角度傾斜した表示板部３に重なり支受されるため、表示カバー４の閉動作がワンタッチででき、安定して閉蓋状態に戻すことができるとともに、特にロック機構を設けることなく、閉蓋状態を維持することができる。すなわち、閉蓋状態で表示カバー４を表示板部３で支受することにより、ロック機能が発揮される。また、表示カバー４の開閉は、下り傾斜状に設けられた表示板部３の下端のヒンジ連結部１７を中心に表示カバー４を下方に動かして行われるため、表示カバー４の上方にその開閉のための広い空間が不用となる。また、その開閉動作の際、表示カバー４で、陳列された化粧品が隠されることがない。
【００２３】
なお、棚板５ａの大きな陳列棚５に上記陳列トレイ６を載置した例を図１２に示す。この例では、開蓋状態にある表示カバー４が略水平になることから、顧客が矢符Ｂのように見下げる場合に、表示カバー４の裏面４ｄに表示されたＰＯＰ広告等を見やすくなる。表示カバー４の表面４ｃのＰＯＰ広告等を見る場合には、顧客が表示カバー４を起立状態にすることで容易に見ることができる。
【００２４】
図１３は本発明の表示具の他の実施の形態を示している。この実施の形態では、陳列棚５の棚板（商品陳列用台板部）５ａの前端部の支受板４１に形成された溝４２に、前記実施の形態の表示具における支受板部２の下端の垂直部２ａが着脱自在に固定されている。それ以外の部分は前記実施の形態と同様であり、同様の部分には同じ符号を付している。前記実施の形態でも、上記実施の形態と同様の作用・効果を奏する。
【００２５】
図１４は本発明の表示具のさらに他の実施の形態を示している。この実施の形態では、先の実施の形態の表示具の支受板部２が、陳列トレイ６の化粧品載置板３１の前端部に一体成形されて形成されている。それ以外の部分は、図１〜図１１に示す先の実施の形態と同様であり、同様の部分には同じ符号を付している。この実施の形態でも、図１〜図１１に示す実施の形態と同様の作用・効果を奏する。
【００２６】
図１５は本発明の表示具のさらに他の実施の形態を示している。この実施の形態では、先の実施の形態の表示具の支受板部２が、陳列棚５の棚板５ａの前端部に一体成形されて形成されている。それ以外の部分は、図１〜図１１に示す先の実施の形態と同様であり、同様の部分には同じ符号を付している。この実施の形態でも、図１〜図１１に示す実施の形態と同様の作用・効果を奏する。
【００２７】
なお、上記各実施の形態では、広告用シート１５，２２の取付けは、表示板部３の表面に設けられた押え板１６および表示カバー４の裏面に設けられた押え板２３（図１０参照）を利用しスライド挿入により行っているが、これに限定するものではなく、両面テープ等で接着してもよいし、上記表示板部３，表示カバー４の表裏両面もしくは片面に直接印刷してもよい。
【００２８】
また、上記各実施の形態において、広告用シート１５，２２に代えて、複数の頁を備え各頁にＰＯＰ広告が表示されたパンフレット形式，カレンダー形式等の小冊子等の広告手段を用い、この広告手段を、複数の頁をそれぞれ開くことができる状態で、表示カバー４の裏面側や表示板部３の表面側に取り付けるようにしてもよい。この場合には、顧客等は表示カバー４を開蓋状態にし、広告手段の複数の頁をそれぞれ開くことで、各頁に表示されたＰＯＰ広告を見ることができる。また、上記各頁にインデックスを付け、これら各インデックスにより、ＰＯＰ広告の内容が項目ごとに判るようにしてもよい。
【００２９】
また、上記各実施の形態では、上記表示板部３の、上記陳列トレイ６の化粧品載置板３１もしくは陳列棚５の棚板５ａに対する傾斜角度θが４５°程度に設定されているが、好ましくは、２０〜７０°の範囲内に設定され、より好ましくは、３０〜６０°の範囲内に設定される。
【００３０】
また、上記各実施の形態では、上記表示板部３の傾斜板部１１の裏面に、突部として多数の突条１１ｃが形成されているが、上記裏面が梨地に形成されていてもよいし、このような突部（突条１１ｃや梨地）により、上記傾斜板部１１の裏面に、陳列される化粧品のイメージ（化粧品の形状等）が表示されていてもよい。
【図面の簡単な説明】
【００３１】
【図１】本発明の表示具の一実施の形態を示す斜視図である。
【図２】上記表示具の側面図である。
【図３】上記表示具の背面図である。
【図４】上記表示具の使用状態を示す説明図である。
【図５】上記表示具の要部を示す断面図である。
【図６】上記表示具の要部を示す正面図である。
【図７】表示カバーの断面図である。
【図８】上記表示具の分解説明図である。
【図９】上記表示具を陳列トレイに取付けている状態を示す説明図である。
【図１０】上記表示カバーの開蓋状態を示す斜視図である。
【図１１】上記表示具の使用状態を示す説明図である。
【図１２】上記表示カバーを陳列棚に載置した状態を示す説明図である。
【図１３】本発明の表示具の他の実施の形態を示す説明図である。
【図１４】本発明の表示具のさらに他の実施の形態を示す説明図である。
【図１５】本発明の表示具のさらに他の実施の形態を示す説明図である。
【図１６】従来例の化粧品陳列台を示す斜視図である。
【図１７】従来例の化粧品陳列用トレイの説明図である。
【符号の説明】
【００３２】
２  支受板部
３  表示板部
４  表示カバー
６  陳列トレイ
３１  化粧品載置板
【図１】
0005236956.tif 000002
【図２】
0005236956.tif 000003
【図３】
0005236956.tif 000004
【図４】
0005236956.tif 000005
【図５】
0005236956.tif 000006
【図６】
0005236956.tif 000007
【図７】
0005236956.tif 000008
【図８】
0005236956.tif 000009
【図９】
0005236956.tif 000010
【図１０】
0005236956.tif 000011
【図１１】
0005236956.tif 000012
【図１２】
0005236956.tif 000013
【図１３】
0005236956.tif 000014
【図１４】
0005236956.tif 000015
【図１５】
0005236956.tif 000016
【図１６】
0005236956.tif 000017
【図１７】
0005236956.tif 000018